(57)【要約】【課題】  本発明の目的は、吸収性物品およびその展開状態の外観、および、包装構造の外観が良く、かつ、吸収性物品の包装構造の自立時の安定性を良好とすることができる吸収性物品及び吸収性物品の包装構造を提供することにある。【解決手段】  本発明の吸収性物品は、液透過性の表面シートと、上記表面シートに対向配置され、液不透過性の防漏シートと、上記表面シートと上記防漏シートとの間に配置される長手方向において非対称な吸収体と、を備える吸収性物品であって、複数の折曲部において折り曲げられたものであり、短手方向における上記吸収体の長さが最大となる第１の最大幅部を有し、上記第１の最大幅部は、上記吸収性物品の長手方向の長さの４５％以上であって１００％以下となるように、長手方向に延びることを特徴とする。【選択図】図３
2015173898.tif 000002
【特許請求の範囲】
【請求項１】
液透過性の表面シートと、
前記表面シートに対向配置され、液不透過性の防漏シートと、
前記表面シートと前記防漏シートとの間に配置される吸収体であって、第１の領域、長手方向において前記第１の領域と離間して配置された第２の領域、および、展開状態における前記第１の領域と前記第２の領域との間に位置する第３の領域を有する吸収体と、
を備える吸収性物品であって、
前記吸収性物品は、平面視において、前記第１の領域の少なくとも一部と前記第２の領域の少なくとも一部とが前記第３の領域に重なるように、前記第１の領域、前記第２の領域および前記第３の領域を規定する折曲部において折り畳まれ、
前記第１の領域および前記第３の領域の少なくとも一方には、短手方向における前記吸収体の長さが最大となる第１の最大幅部が規定され、
前記第２の領域には、前記第２の領域において、短手方向における長さが最も長い第２の最大幅部であって、前記第１の最大幅部よりも短手方向における長さが小さい前記第２の最大幅部を有し、
展開状態における前記第１の最大幅部と前記第２の最大幅部との間には、前記吸収体の短手方向の長さが最小となる最小幅部が規定され、
前記第１の最大幅部は、前記第１の領域または前記第３の領域における前記第１の最大幅部の長手方向の長さが、前記吸収性物品の長手方向の長さの４５％以上であって１００％以下となるように、長手方向に延びることを特徴とする吸収性物品。
【請求項２】
前記第１の最大幅部は、長手方向に５０ｍｍ以上であって１２０ｍｍ以下連続しており、短手方向の長さが１００ｍｍ以上であって１５０ｍｍ以下となるように設けられ、前記吸収性物品の長手方向の長さが８０ｍｍ以上であって１２０ｍｍ以下となるように設けられていることを特徴とする請求項１に記載の吸収性物品。
【請求項３】
前記第２の最大幅部は、前記第１の最大幅部と前記第２の最大幅部との差が前記第１の最大幅部の短手方向の長さの６．７％以上であって８０％以下となるように設けられていることを特徴とする請求項１または請求項２に記載の吸収性物品。
【請求項４】
厚み方向において、前記第２の領域の少なくとも一部は、前記第１の領域と前記第３の領域との間に挟まれることを特徴とする請求項１ないし３のいずれか１項に記載の吸収性物品。
【請求項５】
前記第１の最大幅部は、展開状態において、前記第１の領域から前記第３の領域まで延在することを特徴とする請求項１ないし４のいずれか１項に記載の吸収性物品。
【請求項６】
液透過性の表面シートと、前記表面シートに対向配置され、液不透過性の防漏シートと、前記表面シートと前記防漏シートとの間に配置される吸収体であって、第１の領域、長手方向において前記第１の領域と離間して配置された第２の領域、および、展開状態における前記第１の領域と前記第２の領域との間に位置する第３の領域を有する吸収体と、を備える吸収性物品であって、前記吸収性物品は、平面視において、前記第１の領域の少なくとも一部と前記第２の領域の少なくとも一部とが前記第３の領域に重なるように、前記第１の領域、前記第２の領域および前記第３の領域を規定する折曲部において折り畳まれ、前記第１の領域および前記第３の領域の少なくとも一方には、短手方向における前記吸収体の長さが最大となる第１の最大幅部が規定され、前記第２の領域には、前記第２の領域において、短手方向における長さが最も長い第２の最大幅部であって、前記第１の最大幅部よりも短手方向における長さが小さい前記第２の最大幅部を有し、展開状態における前記第１の最大幅部と前記第２の最大幅部との間には、前記吸収体の短手方向の長さが最小となる最小幅部が規定され、前記第１の最大幅部は、前記第１の領域または前記第３の領域における前記第１の最大幅部の長手方向の長さが、前記吸収性物品の長手方向の長さの４５％以上であって１００％以下となるように、長手方向に延びる吸収性物品と、
前記吸収性物品を複数収納した収納材と、
を備える吸収性物品の包装構造であって、
前記吸収性物品は、前記吸収性物品の長手方向が、前記吸収性物品の包装構造の奥行方向となるように配置されていることを特徴とする吸収性物品の包装構造。
【請求項７】
前記吸収性物品は、前記第１の最大幅部が、長手方向に５０ｍｍ以上であって１２０ｍｍ以下となり、かつ、短手方向に１００ｍｍ以上であって１５０ｍｍ以下となるように設けられ、前記吸収性物品の包装構造の奥行方向の長さが８０ｍｍ以上であって１１０ｍｍ以下となるように設けられていることを特徴とする請求項６に記載の吸収性物品の包装構造。
【請求項８】
前記吸収性物品は、前記第２の最大幅部は、前記第１の最大幅部と前記第２の最大幅部との差が前記第１の最大幅部の短手方向の長さの６．７％以上であって８０％以下となるように設けられていることを特徴とする請求項６または請求項７に記載の吸収性物品の包装構造。
【請求項９】
前記吸収性物品は、厚み方向において、前記第２の領域の少なくとも一部が、前記第１の領域と前記第３の領域との間に挟まれることを特徴とする請求項６ないし８のいずれか１項に記載の吸収性物品の包装構造。
【請求項１０】
前記吸収性物品は、前記第１の最大幅部が、展開状態において、前記第１の領域から前記第３の領域まで延在していることを特徴とする請求項６ないし９のいずれか１項に記載の吸収性物品の包装構造。
【請求項１１】
液透過性の表面シートと、前記表面シートに対向配置される防漏シートと、前記表面シートと前記防漏シートとの間に配置される吸収体と、を備える吸収性物品であって、
前記吸収体は、第１の領域と、長手方向において前記第１の領域と離間して配置された第２の領域と、前記第１の領域と前記第２の領域との間に位置する第３の領域と、を有し、
前記吸収性物品は、平面視において、前記第１の領域の少なくとも一部と前記第２の領域の少なくとも一部とが前記第３の領域に重なるように、前記第１の領域、前記第２の領域および前記第３の領域を規定する折曲部において折り畳まれ、
前記第２の領域は、前記第２の領域において、短手方向の長さが最も長い第２の最大幅部を有し、
前記第１の領域および第３の領域の少なくとも一方は、前記第２の最大幅部よりも短手方向の長さが長い第１の部分を有し、
前記第１の部分と前記第２の最大幅部との間には、前記吸収体の短手方向の長さが最小となる最小幅部を有し、
前記第１の領域または第３の領域における前記第１の部分の長手方向の長さは、前記第２の領域の長手方向の長さよりも長く設けられることを特徴とする吸収性物品。
【発明の詳細な説明】
【技術分野】
【０００１】
本発明は、吸収性物品及び吸収性物品の包装構造に関する。
【背景技術】
【０００２】
吸収性物品は、表面シートと防漏シートとそれらの間の吸収体とを備えた構造を有するものが知られている。このような吸収性物品において、例えば、男性用の吸収性物品の場合は、排尿部における吸収量を多くする必要があることから、排尿部にあたる部分の吸収体を他の部分よりも厚く形成し、または、排尿部にあたる部分の高吸水性樹脂の配合量を多くすることが一般的に行われている。また、女性用の吸収性物品の場合は、後ろ漏れを防止するために、後方部にあたる部分の吸収体を他の部分よりも厚く形成し、または、後方部にあたる部分の高吸水性樹脂の配合量を多くすることが一般的に行われている。しかし、このような吸収性物品は、折り畳み状態において、個装体の厚みが大きくなることで、展開状態において、吸収性物品に余計な縦ジワが入り、または、個装体を展開するのに手間がかかる場合があった。
【０００３】
従って、このような吸収性物品においては、吸収体の一部分を他の部分よりも大きく形成することが好ましく行われている。
【先行技術文献】
【特許文献】
【０００４】
【特許文献１】特開２０１１−１１１１９９号公報
【特許文献２】特開２０１１−００６１４２号公報
【発明の概要】
【発明が解決しようとする課題】
【０００５】
しかし、このような場合、吸収性物品の質量バランス、すなわち重心は、他の部分よりも大きく形成した部分に偏位する。吸収性物品の個装体およびその包装構造は、購入時の持ち運び易さや購入後の携帯のしやすさ、更には、店頭陳列の都合により、好ましい寸法や外形が制限される。吸収性物品は、この寸法や形状に合わせて、質量バランスが一部分に偏位した吸収性物品を長手方向に等分して折り畳んで個装体を形成する。この場合、従来の吸収性物品、例えば、男性用吸収性物品の場合、排尿部にあたる部分と他の部分との吸収体の幅の差に由来した厚み方向の凹凸が大きくなることで個装体の外観が損なわれることがあった。さらに、この吸収性物品の個装体を複数集合させて包装材に収納すると、この凹凸によって、包装構造の底面などの平坦性が損なわれ、包装構造の外観が見劣り、かつ、包装構造の自立時の安定性が悪くなることがあった。
【０００６】
従って、本発明の目的は、吸収性物品およびその展開状態の外観、および、包装構造の外観が良く、かつ、吸収性物品の包装構造の自立時の安定性を良好とする吸収性物品及び吸収性物品の包装構造を提供することにある。
【課題を解決するための手段】
【０００７】
本発明は、以下の構成によって把握される。
（１）  本発明の一側面に係る吸収性物品は、液透過性の表面シートと、上記表面シートに対向配置され、液不透過性の防漏シートと、上記表面シートと上記防漏シートとの間に配置される吸収体であって、第１の領域、長手方向において上記第１の領域と離間して配置された第２の領域、および、展開状態における上記第１の領域と上記第２の領域との間に位置する第３の領域を有する吸収体と、を備える吸収性物品であって、上記吸収性物品は、平面視において、上記第１の領域の少なくとも一部と上記第２の領域の少なくとも一部とが上記第３の領域に重なるように、上記第１の領域、上記第２の領域および上記第３の領域を規定する折曲部において折り畳まれ、上記第１の領域および上記第３の領域の少なくとも一方には、短手方向における上記吸収体の長さが最大となる第１の最大幅部が規定され、上記第２の領域には、上記第２の領域において、短手方向における長さが最も長い第２の最大幅部であって、上記第１の最大幅部よりも短手方向における長さが小さい上記第２の最大幅部を有し、展開状態における上記第１の最大幅部と上記第２の最大幅部との間には、上記吸収体の短手方向の長さが最小となる最小幅部が規定され、上記第１の最大幅部は、上記第１の領域または上記第３の領域における上記第１の最大幅部の長手方向の長さが、上記吸収性物品の長手方向の長さの４５％以上であって１００％以下となるように、長手方向に延びることを特徴とする。
（２）  本発明の他側面に係る吸収性物品は、（１）の吸収性物品であって、上記第１の最大幅部は、長手方向に５０ｍｍ以上であって１２０ｍｍ以下連続しており、短手方向の長さが１００ｍｍ以上であって１５０ｍｍ以下となるように設けられ、上記吸収性物品の長手方向の長さが８０ｍｍ以上であって１２０ｍｍ以下となるように設けられていることを特徴とする。
（３）  本発明の他側面に係る吸収性物品は、（１）または（２）の吸収性物品であって、上記第２の最大幅部は、上記第１の最大幅部と上記第２の最大幅部との差が上記第１の最大幅部の短手方向の長さの６．７％以上であって８０％以下となるように設けられていることを特徴とする。
（４）  本発明の他側面に係る吸収性物品は、（１）ないし（３）のいずれかに記載の吸収性物品であって、厚み方向において、上記第２の領域の少なくとも一部は、上記第１の領域と上記第３の領域との間に挟まれることを特徴とする。
（５）  本発明の他側面に係る吸収性物品は、（１）ないし（４）のいずれかに記載の吸収性物品であって、上記第１の最大幅部は、展開状態において、上記第１の領域から上記第３の領域まで延在することを特徴とする。
（６）  本発明の一側面に係る吸収性物品の包装構造は、液透過性の表面シートと、上記表面シートに対向配置され、液不透過性の防漏シートと、上記表面シートと上記防漏シートとの間に配置される吸収体であって、第１の領域、長手方向において上記第１の領域と離間して配置された第２の領域、および、展開状態における上記第１の領域と上記第２の領域との間に位置する第３の領域を有する吸収体と、を備える吸収性物品であって、上記吸収性物品は、平面視において、上記第１の領域の少なくとも一部と上記第２の領域の少なくとも一部とが上記第３の領域に重なるように、上記第１の領域、上記第２の領域および上記第３の領域を規定する折曲部において折り畳まれ、上記第１の領域および上記第３の領域の少なくとも一方には、短手方向における上記吸収体の長さが最大となる第１の最大幅部が規定され、上記第２の領域には、上記第２の領域において、短手方向における長さが最も長い第２の最大幅部であって、上記第１の最大幅部よりも短手方向における長さが小さい上記第２の最大幅部を有し、展開状態における上記第１の最大幅部と上記第２の最大幅部との間には、上記吸収体の短手方向の長さが最小となる最小幅部が規定され、上記第１の最大幅部は、上記第１の領域または上記第３の領域における上記第１の最大幅部の長手方向の長さが、上記吸収性物品の長手方向の長さの４５％以上であって１００％以下となるように、長手方向に延びる吸収性物品と、上記吸収性物品を複数収納した収納材と、を備える吸収性物品の包装構造であって、上記吸収性物品は、上記吸収性物品の長手方向が、上記吸収性物品の包装構造の奥行方向となるように配置されていることを特徴とする。
（７）  本発明の他側面に係る吸収性物品の包装構造は、（６）の吸収性物品の包装構造であって、上記吸収性物品は、上記第１の最大幅部が、長手方向に５０ｍｍ以上であって１２０ｍｍ以下となり、かつ、短手方向に１００ｍｍ以上であって１５０ｍｍ以下となるように設けられ、上記吸収性物品の包装構造の奥行方向の長さが８０ｍｍ以上であって１１０ｍｍ以下となるように設けられていることを特徴とする。
（８）  本発明の他側面に係る吸収性物品の包装構造は、（６）または（７）の吸収性物品の包装構造であって、上記吸収性物品は、上記第２の最大幅部は、上記第１の最大幅部と上記第２の最大幅部との差が上記第１の最大幅部の短手方向の長さの６．７％以上であって８０％以下となるように設けられている。
（９）  本発明の他側面に係る吸収性物品の包装構造は、（６）ないし（８）のいずれかに記載の吸収性物品の包装構造であって、上記吸収性物品は、厚み方向において、上記第２の領域の少なくとも一部が、上記第１の領域と上記第３の領域との間に挟まれることを特徴とする。
（１０）  本発明の他側面に係る吸収性物品の包装構造は、（６）ないし（９）のいずれかに記載の吸収性物品の包装構造であって、上記吸収性物品は、上記第１の最大幅部が、展開状態において、上記第１の領域から上記第３の領域まで延在することを特徴とする。
（１１）  本発明の一側面に係る吸収性物品は、液透過性の表面シートと、上記表面シートに対向配置される防漏シートと、上記表面シートと上記防漏シートとの間に配置される吸収体と、を備える吸収性物品であって、上記吸収体は、第１の領域と、長手方向において上記第１の領域と離間して配置された第２の領域と、上記第１の領域と上記第２の領域との間に位置する第３の領域と、を有し、上記吸収性物品は、平面視において、上記第１の領域の少なくとも一部と上記第２の領域の少なくとも一部とが上記第３の領域に重なるように、上記第１の領域、上記第２の領域および上記第３の領域を規定する折曲部において折り畳まれ、上記第２の領域は、上記第２の領域において、短手方向の長さが最も長い第２の最大幅部を有し、上記第１の領域および第３の領域の少なくとも一方は、上記第２の最大幅部よりも短手方向の長さが長い第１の部分を有し、上記第１の部分と上記第２の最大幅部との間には、上記吸収体の短手方向の長さが最小となる最小幅部を有し、上記第１の領域または第３の領域における上記第１の部分の長手方向の長さは、上記第２の領域の長手方向の長さよりも長く設けられることを特徴とする。
【発明の効果】
【０００８】
本発明の吸収性物品及び吸収性物品の包装構造は、吸収性物品およびその展開状態の外観、および、包装構造の外観が良く、かつ、吸収性物品の包装構造の自立時の安定性を良好にすることができる。
【図面の簡単な説明】
【０００９】
【図１】本発明の実施形態に係る吸収性物品の包装構造を示す斜視図である。
【図２】本発明の第１の実施形態に係る吸収性物品の展開状態を示す展開図である。
【図３】本発明の第１の実施形態に係る吸収性物品を示す平面図である。
【図４】本発明の第２の実施形態に係る吸収性物品の展開状態を説明する展開概要図である。
【図５】本発明の第２の実施形態に係る吸収性物品を説明する平面概要図である。
【図６】本発明の第３の実施形態に係る吸収性物品の展開状態を説明する展開概要図である。
【図７】本発明の第３の実施形態に係る吸収性物品を説明する平面概要図である。
【図８】本発明の吸収性物品および吸収性物品の包装構造の製造工程を説明するための概要図である。
【発明を実施するための形態】
【００１０】
［吸収性物品の包装構造］
図１を参照して、本発明の実施形態に係る吸収性物品の包装構造について詳細に説明する。吸収性物品の包装構造１０は、複数の吸収性物品２０とそれらの包装材１１とを有する。なお、吸収性物品２０の詳細については、後述する。複数の吸収性物品２０は、吸収性物品２０の長手方向が包装構造１０の奥行方向に向けられて配置され、吸収性物品２０の短手方向は包装構造１０の高さ方向に向けられて配置される。これにより、包装材１１が高さ方向に略沿って取出口となる切断線を有する場合には、吸収性物品２０の包装用のテープ部を有する際に、このテープ部を引っ張ることで吸収性物品２０を取り出すことができるため、吸収性物品２０を１枚ずつ包装材１１から取出しやすく、かつ、吸収性物品２０を展開しやすい。この場合、複数の吸収性物品２０は、包装構造１０の幅方向に複数並んで配置される。また、これに限らず、複数の吸収性物品２０は、包装構造１０の奥行方向および高さ方向に複数並んで配置されてもよい。また、複数の吸収性物品２０は圧縮状態と非圧縮状態とを有し、吸収性物品の包装構造１０は、圧縮状態の吸収性物品２０を包装するものであることが好ましい。
【００１１】
図１に示すように、包装材１１は、本体１２と蓋体１４とを含んでもよい。蓋体１４は、本体１２と蓋体１４との間に設けられた切断線１６によって、本体１２から少なくとも一部が分離する。この切断線１６は、包装構造１０の高さ方向中央よりもやや上方に、幅方向および奥行き方向の少なくとも一方に沿って設けられる。包装構造１０は、切断線１６が平面視においてコの字状に設けられることで、背面部においては本体１２と蓋体１４とが一体接続されたままとなり、分離しないことが好ましい。これにより、吸収性物品２０を衛生的に保管することができる。蓋体１４には、上面の奥行方向中央に、幅方向に延びる把持部１８が設けられている。包装材１１は、ビニールや紙などのいずれの公知の材料を含んでよく、その形状は角柱状であることが好ましい。
【００１２】
包装構造１０は、奥行方向の長さＬ１が８０ｍｍ以上であって１１０ｍｍ以下であることが好ましい。これにより、包装構造１０は、手に取りやすく、店舗の商品陳列棚などに生じる隙間を小さくすることができる。
【００１３】
［吸収性物品］
図２ないし図８を参照して、本発明の実施形態に係る吸収性物品２０およびその製造方法について詳細に説明する。本発明の実施形態に係る吸収性物品２０としては、男性用の尿取りパッドが例示されるが、これに限定されるものではなく、吸収体が長手方向において非対称であるものであれば、女性の夜間用の生理用ナプキン、失禁用のライナー等、他の吸収性物品などであってもよい。なお、本明細書の説明において、吸収性物品の長手方向は、吸収性物品が着用されたときに着用者の前後にわたる方向となり、吸収性物品の短手方向は、長手方向に対して横又は直交する方向となる。また、長手方向とは、展開状態の吸収性物品２０の長手方向であり、短手方向とは、展開時の吸収性物品２０の長手方向に対して横又は直交する方向である。さらにまた、長手方向の長さは、長さ測定対象の短手方向の中央部における長さであり、短手方向の長さは、長さ測定対象の長手方向中央部における長さである。
【００１４】
図２ないし図６に吸収性物品２０Ａ、２０Ｂ、２０Ｃとして示される吸収性物品２０は、肌当接面側から、液透過性の表面シート２００、２１０、２２０、吸収体１００、１１０、１２０、および液不透過性の防漏シート５００、５１０、５２０を備える積層体からなっている。これにより、吸収体１００、１１０、１２０は、表面シート２００、２１０、２２０と防漏シート５００、５１０、５２０によって内包された構造となっている。なお、吸収性物品２０は、液透過性の表面シート２００、２１０、２２０と吸収体１００、１１０、１２０との間に、更に液拡散性シートを含んでもよい。
【００１５】
さらにまた、図２および図３に示すように、吸収性物品２０Ａ、２０Ｂ、２０Ｃは剥離シート３００を含んでもよい。剥離シート３００は、吸収性物品２０の肌当接面と対向する面側に接着剤や接着テープなどによって固着配置されており、吸収性物品２０を使用する際に除去されるものである。剥離シート３００は、防漏シート５００、５１０、５２０に固着されていてもよい。なお、図４ないし図７においても、剥離シート３００を同様に含むが、図示を省略している。図２に示すように、この剥離シート３００は、剥離シート３００の端部がテープ部３０２によって固定され、吸収性物品２０の長手方向の側縁にあたる側縁シーリング部３０４が加熱や接着などにより形成されることで、吸収性物品２０を包装する包装シートであってもよいし、このような包装をせずに、吸収性物品２０の肌当接面と対向する面側に接着性を発現させるために剥離されるシートであってもよい。このような剥離シート３００の材料には、グラシン紙やパラフィン紙等の紙や不織布等の繊維が用いられる。
【００１６】
表面シート２００、２１０、２２０は、吸収体１００、１１０、１２０を間にして、防漏シート５００、５１０、５２０と対向して配置されている。表面シート２００、２１０、２２０は、肌と当接するシートとなることから、柔らかな感触で、肌に刺激を与えないような不織布等の材料によって形成することが好ましい。また、防漏シート５００、５１０、５２０は、上述したように液不透過性を有し、吸収体１００、１１０、１２０に吸収される尿等の液体が下着に漏れないような防水機能を有するようになっている。このような防漏シート５００、５１０、５２０の材料には、たとえば、ポリエチレン等の薄いプラスチックフィルム等が用いられている。
【００１７】
図示はしないが、液拡散性シートは、比較的厚手の親水性の不織布からなり、表面シート２００、２１０、２２０を介して滴下、流入される人体からの液体（たとえば尿）をたとえば長手方向へ輸送、拡散し、液戻りを減少させるものである。
【００１８】
吸収体１００、１１０、１２０は、図２、図４および図６に示すように、長手方向において非対称な形状を有し、短手方向において対称な形状を有する帯状をなす。吸収体１００、１１０、１２０は、綿状パルプまたは合成パルプなどのパルプを含むマット状の部材によって構成されている。吸収体１００、１１０、１２０は、高吸水性樹脂（ＳＡＰ：Ｓｕｐｅｒ  Ａｂｓｏｒｂｅｎｔ  Ｐｏｌｙｍｅｒ）などを更に含んでもよい。この吸収体１００、１１０、１２０は、表面シート２００、２１０、２２０、防漏シート５００、５１０、５２０および剥離シート３００のそれぞれよりも剛性が高くなるように設けられている。従って、特に圧縮包装状態の吸収性物品２０の包装構造１０において、吸収体１００、１１０、１２０の形状は、個装体である吸収性物品２０や吸収性物品２０の包装構造１０に影響しやすい。
【００１９】
表面シート２００、２１０、２２０は、その周辺部において防漏シート５００、５１０、５２０の周辺部と一体に接合されることによって、防漏シート５００、５１０、５２０とともに、吸収体１００、１１０、１２０を内包するようになっている。なお、表面シート２００、２１０、２２０には、吸収性物品２０の長手方向の両側縁に沿って、図示しない一対の立体ギャザーが形成されていてもよい。立体ギャザーは、表面シート２００、２１０、２２０、表面シート２００、２１０、２２０側に折り返した防漏シート５００、５１０、５２０、あるいは、図示しない立体ギャザーシートのいずれか、もしくは、これらを組合せたものの一部を立体的に立脚できるように形成された部分で、たとえば尿の横漏れを防止できるようになっている。
【００２０】
表面シート２００、２１０、２２０、および、吸収体１００、１１０、１２０の少なくとも一つには、圧搾溝が形成されていてもよい。また、液透過性の表面シート２００、２１０、２２０、吸収体１００、１１０、１２０、および、液不透過性の防漏シート５００、５１０、５２０の各構成部材は、それぞれ隣接する部分において、接着剤等で適宜相互に接着されてもよい。
【００２１】
以下、上記実施形態に係る吸収性物品２０およびそれらの製造方法を、第１の実施形態、第２の実施形態および第３の実施形態に分けて、さらに詳細に説明する。
【００２２】
（第１の実施形態）
まず、図２および図３を用いて、第１の実施形態に係る吸収性物品２０を説明する。第１の実施形態は、吸収性物品２０として、吸収性物品２０Ａを用いるものである。図３は、吸収性物品２０Ａを示す平面図であり、図２は、その吸収性物品２０Ａの展開状態における展開図を示す。
【００２３】
吸収性物品２０Ａは、表面シート２００、吸収体１００、防漏シート５００および剥離シート３００を備え、折り畳み状態となっている。図２に示すように、吸収体１００には、第１の領域１０２と、長手方向において第１の領域１０２に離間して配置された第２の領域１０６と、展開状態において第１の領域１０２と第２の領域１０６との間に位置する第３の領域１０４と、が規定されている。この吸収性物品２０Ａは、吸収体１００の第１の領域１０２と第３の領域１０４を規定する折曲部４０２、および、第３の領域１０４と第２の領域１０６を規定する折曲部４０４において折り曲げられた状態で、テープ部３０２や側縁シーリング部３０４などによって保持されることで吸収性物品２０Ａとなっている。吸収性物品２０Ａは、平面視において、第１の領域１０２の少なくとも一部が、第３の領域１０４に重なるように折り畳まれ、同様に、第２の領域１０６の少なくとも一部も、第３の領域１０４に重なるように折り畳まれている。すなわち、吸収性物品２０Ａは、三つ折りの状態となっている。
【００２４】
吸収体１００には、吸収体１００の短手方向の長さが最も大きい第１の最大幅部１０５と、第２の領域１０６において短手方向の長さが最も大きい第２の最大幅部１０７と、吸収体１００の短手方向の長さの最小幅部１０８と、が規定されている。第１の最大幅部１０５と最小幅部１０８とは、両方とも第３の領域１０４内に規定される。
【００２５】
第２の最大幅部１０７は、第２の最大幅部１０７の短手方向の長さが第１の最大幅部１０５の短手方向の長さよりも小さくなるように設けられており、第１の最大幅部１０５の短手方向の長さと第２の最大幅部１０７の短手方向の長さとの差が、第１の最大幅部１０５の短手方向の長さの６．７％以上であって８０％以下になるように設けられることが好ましい。
【００２６】
この第３の領域１０４における第１の最大幅部１０５の長手方向の長さＭ１が、吸収性物品２０Ａの長手方向の長さの４５％以上であって１００％以下となるように、長手方向に連続して延びる。この第１の最大幅部１０５は、吸収性物品２０Ａの長手方向に沿った両側縁が略平行に設けられているものである。第１の最大幅部１０５は、その略全部が第３の領域１０４に配置されていてもよい。
【００２７】
好ましくは、第１の最大幅部１０５の短手方向の長さと第２の最大幅部１０７の短手方向の長さとの差は１０ｍｍ以上であって８０ｍｍ以下（短手方向両側それぞれに５ｍｍ以上であって４０ｍｍ以下）であり、最大幅部１０５の短手方向の長さｗ１が１００ｍｍ以上であって１５０ｍｍ以下であり、第１の最大幅部１０５の長手方向の長さＭ１が５０ｍｍ以上であって１２０ｍｍ以下であり、かつ、吸収性物品２０Ａの長手方向の長さｄ３が８０ｍｍ以上であって１２０ｍｍ以下となるように設けられることが好ましい。第１の最大幅部１０５は、第１の領域１０２よりも第３の領域１０４に大きく配置されている。本実施形態では、第１の最大幅部１０５が、第３の領域１０４にのみに配置されるように折曲部４０２が設けられている。前述したとおり、吸収体１００の剛性は他の構成部分の剛性よりも高いから、吸収性物品２０Ａの形状は、第３の領域１０４の第１の最大幅部１０５によって保持できる。これにより、吸収性物品２０Ａおよびその展開状態の外観、および、包装構造１０の外観が良く、かつ、吸収性物品の包装構造１０の自立時の安定性を良好にするという効果を有する。また、吸収性物品２０Ａは、吸収性物品２０Ａの厚み方向に、吸収性物品２０Ａを複数積み重ねて集合させた状態で圧縮し、包装材１１に包装されて、包装構造１０が形成されることがあるが、特に、このように圧縮包装がされる場合に、吸収体１００の短手方向の長さの差に由来する厚み方向の凹凸が吸収性物品２０Ａまたはその包装構造１０の外観に出やすいので、この効果が高く発揮される。
【００２８】
また、前述のとおり、吸収性物品２０Ａの長手方向における長さｄ３が８０ｍｍ以上であって１２０ｍｍ以下となるように設けられることで、この長手方向を包装構造１０の奥行方向として吸収性物品２０Ａを包装材１１に包装した際に、手に取りやすく、店舗の商品陳列棚などに生じる隙間を小さくすることができる包装構造１０を形成することができる。
【００２９】
図３に示すように、吸収性物品２０Ａは、第１の領域１０２の一部と第２の領域１０６の一部とが重なるように折り畳まれている。吸収性物品２０Ａの厚み方向において、第２の領域１０６は、第１の領域１０２と第３の領域１０４に挟まれるように折り畳まれていることが好ましい。これにより、短手方向の長さが長い第１の領域１０２および第３の領域１０４で、短手方向の長さが短い第２の領域１０６を挟み込めるため、吸収性物品２０Ａおよびその展開状態の外観、および、包装構造の外観をより良く、かつ、吸収性物品の包装構造の自立時の安定性をさらに向上することができる。
【００３０】
第１の領域１０２および第３の領域１０４には、第２の最大幅部１０７よりも短手方向の長さが長い第１の部分１０９が規定されてもよい。この場合、図２に示すように、展開状態において、第１の部分１０９は、その長手方向における長さｄ１が、第２の領域１０６の長手方向の長さＬ２よりも長く設けられる。これにより、吸収性物品２０Ａの短手方向における長さが長い第１の部分１０９を、短手方向における長さが短い第２の領域１０６に十分に重複するように配置できるから、吸収性物品２０Ａおよびその展開状態の外観、および、包装構造１０の外観を良く、かつ、吸収性物品２０Ａの包装構造１０の自立時の安定性を良好とすることができる。また、図３に示すように、第１の部分１０９の長手方向における長さｄ２は、第２の領域１０６の長手方向における長さｄ４よりも大きく設けられていることが好ましい。
【００３１】
表面シート２００は、吸収体１００よりも大きい表面積を有し、吸収体１００の第１の領域１０２の肌当接面側に第１の表面シート領域２０２を有し、吸収体１００の第２の領域１０６の肌当接面側に第２の表面シート領域２０６を有し、吸収体１００の第３の領域１０４の肌当接面側に第３の表面シート領域２０４を有する。第１の表面シート領域２０２、第２の表面シート領域２０６および第３の表面シート領域２０４は、図２に示すように短手方向における長さが略等しくてもよいし、吸収体１００の外形と略相似形となるように短手方向における長さが異なってもよい。
【００３２】
同様に、防漏シート５００は、吸収体１００よりも大きい表面積を有し、吸収体１００の第１の領域１０２の肌当接面の裏面側に第１の防漏シート領域５０２を有し、吸収体１００の第２の領域１０６の肌当接面の裏面側に第２の防漏シート領域５０６を有し、吸収体１００の第３の領域１０４の肌当接面の裏面側に位置に第３の防漏シート領域５０４を有する。第１の防漏シート領域５０２、第２の防漏シート領域５０６および第３の防漏シート領域５０４は、図２に示すように短手方向における長さが略等しくてもよいし、吸収体１００の外形と略相似形となるように短手方向における長さが異なってもよい。
【００３３】
（第２の実施形態）
次に、図４および図５を用いて、第２の実施形態に係る吸収性物品２０を説明する。第２の実施形態は、吸収性物品２０として、吸収性物品２０Ｂを用いるものである。図５は、吸収性物品２０Ｂを示す平面図であり、図４は、その吸収性物品２０Ｂの展開状態における展開図を示す。
【００３４】
吸収性物品２０Ｂは、表面シート２１０、吸収体１１０および防漏シート５１０を備え、折畳状態となっている。吸収性物品２０Ｂは、さらに剥離シート３００を備えてもよい。なお、図４および図５において、剥離シート３００は図示を省略している。図４に示すように、吸収体１１０には、第１の領域１１２と、長手方向において第１の領域１１２に離間して配置された第２の領域１１６と、展開状態において第１の領域１１２と第２の領域１１６との間に位置する第３の領域１１４と、が規定されている。この吸収性物品２０Ｂは、吸収体１１０の第１の領域１１２と第３の領域１１４を規定する折曲部４１２、および、第２の領域１１６と第３の領域１１４を規定する折曲部４１４において折り曲げられた状態で、テープや接着剤などによって保持されることで吸収性物品２０Ｂとなっている。吸収性物品２０Ｂは、平面視において、第１の領域１１２の少なくとも一部が、第３の領域１１４に重なるように折り畳まれ、同様に、第２の領域１１６の少なくとも一部も、第３の領域１１４に重なるように折り畳まれている。すなわち、吸収性物品２０Ｂは、三つ折りの状態となっている。
【００３５】
吸収体１１０には、吸収体１１０の短手方向の長さが最も大きい第１の最大幅部１１５と、第２の領域１１６において短手方向の長さが最も大きい第２の最大幅部１１７と、吸収体１１０の短手方向の長さの最小幅部１１８と、が規定されている。第１の最大幅部１１５は、第１の領域１１２から第３の領域１１４に亘って延在している。これにより、折曲部４１２に第１の最大幅部１１５が位置づけられるから、折畳状態における吸収性物品の外観および包装構造の外観が良く、かつ、吸収性物品の包装構造の自立時の安定性をより良好とすることができる。
【００３６】
また、最小幅部１１８は、第３の領域１１４に規定される。第２の最大幅部１１７は、第２の最大幅部１１７の短手方向の長さが第１の最大幅部１１５の短手方向の長さよりも小さくなるように設けられている。第２の最大幅部１１７は、第１の最大幅部１１５の短手方向の長さと第２の最大幅部１１７の短手方向の長さとのの差が、第１の最大幅部１１５の短手方向の長さの６．７％以上であって８０％以下になるように設けられることが好ましい。
【００３７】
この第１の最大幅部１１５は、その長手方向の長さＭ２が、吸収性物品２０Ｂの長手方向の長さの４５％以上であって１００％以下となるように、長手方向に連続して延びる。この第１の最大幅部１１５は、吸収性物品２０Ｂの長手方向に沿った両側縁が略平行に設けられているものである。
【００３８】
好ましくは、第１の最大幅部１１５の短手方向の長さと第２の最大幅部１１７の短手方向の長さとの差が１０ｍｍ以上であって８０ｍｍ以下（短手方向両側それぞれに５ｍｍ以上であって４０ｍｍ以下）であり、第１の最大幅部１１５において、吸収体１１０の短手方向の長さｗ５が１００ｍｍ以上であって１５０ｍｍ以下であり、かつ、第１の最大幅部１１５の長手方向の長さＭ２が５０ｍｍ以上であって１２０ｍｍ以下であり、かつ、吸収性物品２０Ｂの長手方向の長さｄ７が８０ｍｍ以上であって１２０ｍｍ以下となるように設けられることが好ましい。前述したとおり、吸収体１１０の剛性は他の構成部分の剛性よりも高いから、第１の最大幅部１１５が、第３の領域１１４よりも第１の領域１１２に大きく規定されていることで、主に第１の領域１１２の第１の最大幅部１１５で吸収性物品２０Ｂの形状を保持したものである。これにより、吸収性物品２０Ｂおよびその展開状態の外観、および、包装構造１０の外観が良く、かつ、吸収性物品の包装構造１０の自立時の安定性を良好にできるという効果を有する。また、吸収性物品２０Ｂは、吸収性物品２０Ｂの厚み方向に、吸収性物品２０Ｂを複数積み重ねて集合させた状態で圧縮し、包装材１１に包装されて、包装構造１０とされることがあるが、特に、このような圧縮包装がされる場合に、吸収体１１０の短手方向の長さの差に由来する厚み方向の凹凸が吸収性物品２０Ｂまたはその包装構造１０の外観に出やすいので、この効果が高く発揮される。
【００３９】
また、前述のとおり、吸収性物品２０Ｂの長手方向における長さｄ７が８０ｍｍ以上であって１２０ｍｍ以下となるように設けられていることで、この長手方向を包装構造１０の奥行方向として吸収性物品２０Ｂを包装材１１に包装した際に、手に取りやすく、店舗の商品陳列棚などに生じる隙間を小さくすることができる包装構造１０を形成できる。
【００４０】
図５に示すように、第１の領域１１２の第１の最大幅部１１５は、第３の領域１１４に規定される最小幅部１１８および第２の領域１１６に重なるように折り畳まれている。これにより、吸収体１１０の短手方向の長さの差に由来する、吸収性物品２０Ｂの厚み方向の凹凸を低減でき、上記の効果をより高く発揮することができる。
【００４１】
図５に示すように、吸収性物品２０Ｂは、第１の領域１１２の一部と第２の領域１１６の一部とが重なるように折り畳まれたものである。第１の領域１１２と第２の領域１１６とは、第１の領域１１２が、第３の領域１１４と第２の領域１１６との略全面に重なるように折り畳まれていることが好ましい。これにより、吸収体１１０の短手方向の長さの差に由来する、吸収性物品２０Ｂの厚み方向の凹凸を低減でき、上記の効果をより高く発揮することができる。
【００４２】
吸収性物品２０Ｂの厚み方向において、第２の領域１１６は、第１の領域１１２と第３の領域１１４に挟まれるように折り畳まれていることが好ましい。これにより、短手方向の長さが長い部分を有する第１の領域１１２および第３の領域１１４で、短手方向の長さが短い第２の領域１１６を挟み込めるため、吸収性物品２０Ａおよびその展開状態の外観、および、包装構造の外観をより良く、かつ、吸収性物品の包装構造の自立時の安定性をさらに向上することができる。
【００４３】
第１の領域１１２および第３の領域１１４には、第２の最大幅部１１７よりも短手方向の長さが長い第１の部分１１９が規定されてもよい。この場合、図４に示すように、展開状態において、第１の部分１１９は、その長手方向における長さｄ５が、第２の領域１１６の長手方向の長さＬ３よりも長く設けられる。これにより、吸収性物品２０Ｂの短手方向における長さが長い第１の部分１０９を、短手方向における長さが短い第２の領域１１６に十分に重複するように配置できるから、吸収性物品２０Ａおよびその展開状態の外観、および、包装構造１０の外観を良く、かつ、吸収性物品２０Ｂの包装構造１０の自立時の安定性を良好とすることができる。また、図５に示すように、長手方向における第１の部分１０９の長さｄ６は、長手方向における第２の領域１１６の長さｄ８よりも長く設けられたものであることが好ましい。
【００４４】
表面シート２１０は、吸収体１１０よりも大きい表面積を有し、吸収体１１０の第１の領域１１２の肌当接面側に第１の表面シート領域２１２を有し、吸収体１１０の第２の領域１１６の肌当接面側に第２の表面シート領域２１６を有し、吸収体１１０の第３の領域１１４の肌当接面側に第３の表面シート領域２１４を有する。第１の表面シート領域２１２、第２の表面シート領域２１６および第３の表面シート領域２１４は、図４に示すように短手方向における長さが略等しくてもよいし、吸収体１１０の外形と略相似形となるよう短手方向における長さが異なってもよい。
【００４５】
同様に、防漏シート５１０は、吸収体１１０よりも大きい表面積を有し、吸収体１１０の第１の領域１１２の肌当接面の裏面側に第１の防漏シート領域５１２を有し、吸収体１１０の第２の領域１１６の肌当接面の裏面側に位置に第２の防漏シート領域５１６を有し、吸収体１１０の第３の領域１１４の肌当接面の裏面側に第３の防漏シート領域５１４を有する。第１の防漏シート領域５１２、第２の防漏シート領域５１６および第３の防漏シート領域５１４は、図４に示すように短手方向における長さが略等しくてもよいし、吸収体１１０の外形と略相似形となるように吸収性物品２０Ｂの短手方向における長さが異なってもよい。
【００４６】
（第３の実施形態）
次に、図６および図７を用いて、第３の実施形態に係る吸収性物品２０を説明する。第３の実施形態は、吸収性物品２０として、吸収性物品２０Ｃを用いるものである。図７は、吸収性物品２０Ｃを示す平面図であり、図６は、その吸収性物品２０Ｃの展開状態における展開図を示す。
【００４７】
吸収性物品２０Ｃは、表面シート２２０、吸収体１２０および防漏シート５２０を備え、折り畳み状態となっている。吸収性物品２０Ｃは、さらに剥離シート３００を備えてもよい。なお、図６および図７において、剥離シート３００は図示を省略している。図６に示すように、吸収体１２０には、第１の領域１２２と、長手方向において第１の領域１２２に離間して配置された第２の領域１２６と、展開状態において第１の領域１２２と第２の領域１２６との間に位置する第３の領域１２４と、第１の領域１２２に隣接した第４の領域１２３が規定されている。この吸収性物品２０Ｃは、吸収体１２０の第１の領域１２２と第３の領域１２４を規定する折曲部４２２、第３の領域１２４と第２の領域１２６を規定する折曲部４２４、および、第１の領域１２２と第４の領域１２３を規定する折曲部４２６において折り曲げられた状態で、テープや接着剤などによって保持されることで吸収性物品２０Ｃとなっている。吸収性物品２０Ｃは、平面視において、第１の領域１２２の少なくとも一部が、第３の領域１２４に重なるように折り畳まれ、第２の領域１２６の少なくとも一部も、第３の領域１２４に重なるように折り畳まれ、かつ、第４の領域１２３の少なくとも一部も、第３の領域１２４に重なるように折り畳まれている。すなわち、吸収性物品２０Ｃは、四つ折りの状態となっている。また、第１の領域１２２の肌当接面と第２の領域１２６の肌当接面とは、第３の領域１２４の肌当接面に対向するように配置されるが、第４の領域１２３は、その肌当接面の裏面が第３の領域１２４の肌当接面に対向するように配置されている。
【００４８】
吸収体１２０には、吸収体１２０の短手方向の長さが最も大きい第１の最大幅部１２５と、第２の領域１２６において短手方向の長さが最も大きい第２の最大幅部１２７と、吸収体１２０の短手方向の長さの最小幅部１２８と、が規定されている。第１の最大幅部１２５は、第１の領域１２２から第３の領域１２４に亘って延在している。これにより、折曲部４２２に第１の最大幅部１２５が位置づけられるから、折り畳み状態における吸収性物品の外観および包装構造の外観が良く、かつ、吸収性物品の包装構造の自立時の安定性をより良好とすることができる。
【００４９】
また、最小幅部１２８は、第３の領域１２４に規定される。第２の最大幅部１２７は、第２の最大幅部１２７の短手方向の長さが第１の最大幅部１２５の短手方向の長さよりも小さくなるように設けられている。第２の最大幅部１２７は、第１の最大幅部１２５の短手方向の長さと第２の最大幅部１２７の短手方向の長さとのの差が、第１の最大幅部１２５の短手方向の長さの６．７％以上であって８０％以下になるように設けられることが好ましい。
【００５０】
この第１の最大幅部１２５は、その長手方向の長さＭ３が、吸収性物品２０Ｃの長手方向の長さの４５％以上であって１００％以下となるように、長手方向に連続して延びる。この第１の最大幅部１２５は、吸収性物品２０Ｃの長手方向に沿った両側縁が略平行に設けられているものである。
【００５１】
好ましくは、第１の最大幅部１２５の短手方向の長さと第２の最大幅部１２７の短手方向の長さとの差が１０ｍｍ以上であって８０ｍｍ以下であり、第１の最大幅部１２５において、吸収体１２０の短手方向の長さｗ９が１００ｍｍ以上であって１５０ｍｍ以下であり、かつ、第１の最大幅部１２５の長手方向の長さＭ３が５０ｍｍ以上であって１２０ｍｍ以下であり、かつ、吸収性物品２０Ｃの長手方向の長さｄ１１が８０ｍｍ以上であって１２０ｍｍ以下となるように設けられることが好ましい。前述したとおり、吸収体１２０の剛性は他の構成部分の剛性よりも高いから、第１の最大幅部１２５が、第１の領域１２２の全面に規定されていることで、第１の領域１２２の第１の最大幅部１２５で吸収性物品２０Ｃの形状を保持したものである。これにより、吸収性物品２０Ｃおよびその展開状態の外観、および、包装構造１０の外観が良く、かつ、吸収性物品の包装構造１０の自立時の安定性を良好にするという効果を有する。また、吸収性物品２０Ｃには、対向する一対の折曲部４２２および折曲部４２６において、第１の最大幅部１２５が位置づけられており、平面視において、折り畳み状態における吸収体１２０の外形を略矩形形状とすることができる。これにより、上記効果をさらに向上することができる。
【００５２】
図７に示すように、吸収性物品２０Ｃは、第１の領域１２２の一部と第２の領域１２６の一部が重なるように折り畳まれている。吸収性物品２０Ｃは、第１の領域１２２が、第２の領域１２６、第３の領域１２４および第４の領域１２３の略全面に重なるように折り畳まれることが好ましい。これにより、吸収体１２０の短手方向の長さの差に由来する、吸収性物品２０Ｃの厚み方向の凹凸を低減でき、上記の効果をより高くすることができる。また、吸収性物品２０Ｃの厚み方向において、第２の領域１２６と第４の領域１２３とは、第１の領域１２２と第３の領域１２４に挟まれるように折り畳まれることが好ましい。
【００５３】
第１の領域１２２および第３の領域１２４には、第２の最大幅部１２７よりも短手方向の長さが長い第１の部分１２９が規定されてもよい。この場合、図６に示すように、第１の部分１２９は、その長手方向における長さｄ９が、第２の領域１２６の長手方向の長さＬ３よりも長く設けられる。これにより、吸収性物品２０Ｃの短手方向における長さが長い第１の部分１０９を、短手方向における長さが短い第２の領域１２６に十分に重複するように配置できるから、吸収性物品２０Ａおよびその展開状態の外観、および、包装構造１０の外観を良く、かつ、吸収性物品２０Ｃの包装構造１０の自立時の安定性を良好とすることができる。また、図７に示すように、吸収性物品２０Ｃの長手方向における第１の部分１０９の長さｄ１０は、この長手方向における第２の領域１２６の長さｄ１２よりも大きく設けられたものであることが好ましい。
【００５４】
表面シート２２０は、吸収体１２０よりも大きい表面積を有し、吸収体１２０の第１の領域１２２の肌当接面側に第１の表面シート領域２２２を有し、吸収体１２０の第２の領域１２６の肌当接面側に第２の表面シート領域２２６を有し、吸収体１２０の第３の領域１２４の肌当接面側に第３の表面シート領域２１４を有する。第１の表面シート領域２２２、第２の表面シート領域２２６および第３の表面シート領域２１４は、図６に示すように短手方向における長さが略等しくてもよいし、吸収体１２０の外形と略相似形となるように短手方向における長さが異なってもよい。
【００５５】
同様に、防漏シート５２０は、吸収体１２０よりも大きい表面積を有し、吸収体１２０の第１の領域１２２の肌当接面の裏面側に第１の防漏シート領域５２２を有し、吸収体１２０の第２の領域１２６の肌当接面の裏面側に位置に第２の防漏シート領域５２６を有し、かつ、吸収体１２０の第３の領域１２４の肌当接面の裏面側に第３の防漏シート領域５２４を有する。第１の防漏シート領域５２２、第３の防漏シート領域５２４および第２の防漏シート領域５２６は、図６に示すように短手方向における長さが略等しくてもよいし、吸収体１２０の外形と略相似形となるように短手方向における長さが異なってもよい。
【００５６】
なお、吸収性物品２０を男性用の尿取りパッドとして用いるときは、第１の領域１０２、１１２、１２２側が着用者の前部側に配置され、第２の領域１０６、１１６、１２６側が着用者の後部側に配置される。一方、吸収性物品２０を女性用の夜間用の生理用ナプキンとして用いるときは、この第２の領域１０６、１１６、１２６側が着用者の前部側に配置され、第１の領域１０２、１１２、１２２側が着用者の後部側に配置される。
【００５７】
［吸収性物品およびその包装構造の製造方法］
図８を参照して、本発明の各実施形態にかかる吸収性物品２０およびその包装構造１０の製造方法を説明する。ここでは、吸収性物品２０の製造材料の長手方向に沿って、吸収性物品２０の製造材料を搬送しながら、吸収性物品２０およびその包装構造１０を製造する方法を説明する。
【００５８】
まず、吸収材１１００をローラ１００２から給送し、ＳＡＰ散布装置１００６において吸収材１１００上に高吸水性樹脂を配し、高吸水性樹脂を挟みこむように、ローラ１００４から給送された吸収材１１０２を吸収材１１００に重ねて配する。これをローラ１００８でプレスすることで吸収体原材１１０４を形成する。この吸収体原材１１０４をさらに搬送して、カッター１０１０で吸収体原材１１０４を切断することで吸収体１００、１１０、１２０を形成する。この際、吸収体１００、１１０、１２０は、上述したように、長手方向において非対称な形状を有し、短手方向において対称な形状となるように切断される。
【００５９】
次に、図８に示すように、この吸収体１００、１１０、１２０をさらに給送して、該吸収体１００、１１０、１２０の一方の側からは、ローラ１０１６から給送された表面シート２００、２１０、２２０となる表面シート原材、または、表面シート原材と液拡散性シート原材とをあてがい、他方の側からはローラ１０１４から給送された防漏シート５００、５１０、５２０となる防漏シート原材をあてがうことで、吸収体１００、１１０、１２０を挟持して、ローラ１０１２によって圧着する。これらの間には、接着剤などからなる接着層が設けられてもよい。これにより、吸収体１００、１１０、１２０は、表面シート原材と防漏シート原材の間に挟まれた状態で固着される。その後、表面シート２００、２１０、２２０と防漏シート５００、５１０、５２０となる部分を接合させて、カッター１０１９で切断することで表面シート２００、２１０、２２０及び防漏シート５００、５１０、５２０で内包された吸収体１００、１１０、１２０を形成する。
【００６０】
次に、接着剤または接着テープを用いて、防漏シート５００、５１０、５２０側にローラ１０１８から給送された包装シート原材を固着し、カッター１０２２で包装シート原材を切断することで、展開状態の個片に切断された吸収性物品２０を形成する。その後、折り畳み機１０２４によって、上述した各折曲部４０２等で折り畳むことで吸収性物品２０を形成する。
【００６１】
次に、包装機１０２６に給送して、複数の吸収性物品２０を吸収性物品２０の厚み方向に重ね合わせて、重ね合せた厚みの０．６〜０．８倍になるように圧縮した状態で包装材１１に収容する。これにより、圧縮整列状態の吸収性物品２０を内包する包装構造１０を形成する。
【００６２】
以上、実施形態を用いて本発明を説明したが、本発明の技術的範囲は上記実施形態および実施形態に記載の範囲には限定されないことは言うまでもない。上記実施形態に、多様な変更または改良を加えることが可能であることは当業者に明らかである。また、その様な変更または改良を加えた形態も本発明の技術的範囲に含まれ得ることが、特許請求の範囲の記載から明らかである。
【符号の説明】
【００６３】
１０  吸収性物品の包装構造
１１  包装材
２０、２０Ａ、２０Ｂ、２０Ｃ  吸収性物品
１００、１１０、１２０  吸収体
１０２、１１２、１２２  吸収体の第１の領域
１０６、１１６、１２６  吸収体の第２の領域
１０４、１１４、１２４  吸収体の第３の領域
２００、２１０、２２０  表面シート
３００  剥離シート
４０２、４０４、４１２、４１４、４２２、４２４、４２６  折曲部
５００、５１０、５２０  防漏シート
【図１】
2015173898.tif 000003
【図２】
2015173898.tif 000004
【図４】
2015173898.tif 000005
【図５】
2015173898.tif 000006
【図６】
2015173898.tif 000007
【図７】
2015173898.tif 000008
【図３】
2015173898.tif 000009
【図８】
2015173898.tif 000010